(57)【要約】【課題】折り曲げ技術に熟練していない使用者でも、眼鏡フレームに設けられたテンプルの耳かけ部を、自分自身で耳の周りの曲線形状に合わせて容易に調整することができる眼鏡フレームを提供する。【解決手段】耳かけ部８を有するテンプル６を備えた眼鏡フレーム２において、前記耳かけ部８の下端縁部に、その奥側の縁が前記耳かけ部８の上端縁部と１．３ｍｍ以上の間隔を空けて形成された略逆Ｕ字状の２０個以内の複数のスリット１３が、等間隔に形成されている。【選択図】図１
2008096586.tif 000002
【特許請求の範囲】
【請求項１】
耳かけ部を有するテンプルを備えた眼鏡フレームにおいて、
前記耳かけ部の下端縁部に、その奥側の縁が前記耳かけ部の上端縁部と１．３ｍｍ以上の間隔を空けて形成された略逆Ｕ字状の２０個以内の複数のスリットが、等間隔に形成されていることを特徴とする、眼鏡フレーム。
【請求項２】
前記耳かけ部に、外面下端縁部に滑り止め用段部が複数形成されたモダンが取り付けられていることを特徴とする、請求項１に記載の眼鏡フレーム。
【請求項３】
前記モダンは、前記耳かけ部を二重に被覆する弾性材料で構成された外側被覆部と内側被覆部とからなることを特徴とする、請求項２に記載の眼鏡フレーム。
【発明の詳細な説明】
【技術分野】
【０００１】
本発明は、眼鏡フレームに関する。
【背景技術】
【０００２】
従来の眼鏡フレームに設けられるテンプルの耳かけ部の多くは、折り曲げ調整して使用者の耳の周りの曲線形状に合致した状態を維持するように、塑性変形可能なチタン、銅合金等の材料で構成されている（特許文献なし）。
【０００３】
しかしながら、人間の耳の周りは複雑な曲線形状で構成され、また、その曲線形状は個々人によって様々であり、前記のような構成の眼鏡フレームでは、耳かけ部の折り曲げ技術に相当程度熟練していなければならない。このため、使用者が眼鏡を初めて着用する場合には、折り曲げ技術に熟練した者の手で、耳かけ部の形状を前記曲線形状に合わせて調整してもらう必要があった。
【０００４】
特に、調整後に誤って踏みつける等の不測の事態が発生して耳かけ部の形状が大きく変形した場合には、折り曲げ技術のない使用者が、自分自身で再調整することはほとんど不可能であった。このため、使用者は眼鏡店に赴いて、折り曲げ技術に熟練した者にわざわざ再調整してもらわなければならない等の不都合があり、眼鏡の取扱いに必要以上の注意を要した。
【発明の開示】
【発明が解決しようとする課題】
【０００５】
したがって、本発明は、折り曲げ技術に熟練していない使用者でも、眼鏡フレームに設けられたテンプルの耳かけ部を、自分自身で耳の周りの曲線形状に合わせて容易に調整することができる眼鏡フレームを提供することを課題とする。
【課題を解決するための手段】
【０００６】
前記課題を解決するための手段として、本発明は、耳かけ部を有するテンプルを備えた眼鏡フレームにおいて、前記耳かけ部の下端縁部に、その奥側の縁が前記耳かけ部の上端縁部と１．３ｍｍ以上の間隔を空けて形成された略逆Ｕ字状の２０個以内の複数のスリットが、等間隔に形成されている。
【０００７】
前記耳かけ部に、外面下端縁部に滑り止め用段部が複数形成されたモダンが取り付けられているのが好ましい。
【０００８】
前記モダンは、前記耳かけ部を二重に被覆する弾性材料で構成された外側被覆部と内側被覆部とからなるのが好ましい。
【発明の効果】
【０００９】
本発明によれば、複数のスリットを設けて部分的に耳かけ部の太さを細く構成しているため、耳かけ部を上下方向に容易に折り曲げることができる。これにより、耳かけ部の折り曲げに特別な技術を習熟する必要がなく、折り曲げ技術に熟練した者でなくても、耳かけ部の形状を容易に調整することができる。
【００１０】
また、調整後に誤って踏みつける等の不測の事態が発生して耳かけ部の形状が大きく変形した場合においても、折り曲げ技術の習得の有無にかかわらず、耳かけ部の調整作業を容易に行うことができるため、使用者が、自分自身で耳かけ部の再調整を容易に行うことができる。
【発明を実施するための最良の形態】
【００１１】
以下、本発明の実施形態を添付の図面に従って説明する。
【００１２】
図１は、本発明の実施形態に係る眼鏡フレーム２を備えた眼鏡１の側面図である。図２は、図１の眼鏡フレーム２のテンプル６の側面図である。図３は、図２のテンプル６の部分拡大図である。図４は、図１のＩＶ−ＩＶ線拡大断面図である。図４は、折り曲げた状態の耳かけ部８の拡大側面図である。図５は、折り曲げた状態の耳かけ部８の拡大側面図である。図６は、図５の耳かけ部の部分拡大断面図である。眼鏡１は、眼鏡フレーム２と、眼鏡用レンズ３とからなる。眼鏡フレーム１は、図１に示したように、眼鏡用レンズ３を保持する前枠４と、該前枠４の両端に連設された智（ヨロイ）５と、不図示の蝶番を介して前記智（ヨロイ）５に回動可能に取り付けられたテンプル６とを備える。
【００１３】
テンプル６は、図２に示したように、基端部が分岐して智（ヨロイ）５に取り付けられる芯金部７と、該芯金部７の先端部に連設された耳かけ部８とからなる。テンプル６は、折り曲げ容易でない弾力性のある板状のチタン、ステンレス等からなり、その厚みｔ（図４参照）が、約０．８ｍｍの厚さで構成されている。
【００１４】
耳かけ部８の一部には、モダン取付部１１が設けられている。モダン取付部１１の上下両端には、図２及び図４に示したように、テンプル６の延在方向に沿って延在する凹部９，１０が形成されている。モダン取付部１１には、図１、図５及び図６に示したように、モダン１２が取り付けられている。モダン取付部１１には、図２及び図３に示したように、その下端縁部から上方に延在した２０個以内の複数のスリット１３が等間隔に形成されている。複数のスリット１３は、それぞれ、略逆Ｕ字状に構成されている。複数のスリット１３は、上下方向への折り曲げ時にテンプル６が破損するのを防ぐため、図に示すように、その奥側の縁を円弧にして応力集中をなくすとともに、モダン取付部１１の上端縁部と奥側の縁との間に１．３ｍｍ以上の間隔Ｓを空けて形成されている。各スリット１３の間は、略矩形状の複数の突片１３ａとなっている。
【００１５】
モダン１２は、図４に示すように、熱収縮性のあるポリオレフィン樹脂、シリコン樹脂等のチューブ材で構成された外側被覆部１２ａと内側被覆部１２ｂとからなり、モダン取付部１１を二重に被覆している。モダン１２は、モダン取付部１２に挿入したチューブ材に熱を加えて収縮させることによって、モダン取付部１１を被覆する。外側被覆部１２ａの外面上端縁部は、図５に示したように、平滑状に構成されている。また、外側被覆部１２ａの外面下端縁部は、図６に示したように、モダン取付部１１の各スリット１２にその一部が進入することで、滑り止め用段部１４が複数形成されている。
【００１６】
本実施形態の眼鏡フレーム２によれば、モダン取付部１１に複数のスリット１３を設けて部分的に耳かけ部の太さを細く構成しているため、耳かけ部８の上下方向の折り曲げが容易である。このため、眼鏡１を初めて着用する使用者の耳の周りの曲線形状に合わせて耳かけ部８を調整する場合、耳かけ部８の折り曲げに特別な技術を習熟している必要はなく、折り曲げ技術に熟練した者でなくても、耳かけ部８を図５に示したような状態にして、耳かけ部８の調整作業を容易に行うことができる。
【００１７】
また、調整後に誤って踏みつける等の不測の事態が発生して耳かけ部８の形状が大きく変形した場合においても、上述したように、折り曲げ技術の習得の有無にかかわらず、耳かけ部８の調整作業を容易に行うことができるため、使用者が、自分自身で耳かけ部８の再調整を容易に行うことができる。
【００１８】
本実施形態の眼鏡フレーム２においては、モダン１２が、モダン取付部１１を被覆して、各スリット１３の間の突片１３ａの角部が使用者の皮膚に直接接触しないように保護している。これにより、眼鏡１を長時間に渡って着用しても、痛みに伴う不快感を使用者に与えることがない。
【００１９】
さらに、本実施形態の眼鏡フレーム２においては、滑り止め用段部１４が、外側被覆部１２ａの外面下端縁部に形成されているため、使用者が本実施形態の眼鏡フレーム２を備えた眼鏡１を着用した場合、前記滑り止め用段部１４が使用者の耳に接触して、使用者の皮膚との摩擦力が向上する。このため、使用者がスポーツ等の激しい運動を行っても、耳かけ部３が使用者の耳から外れて眼鏡１が地面等に落下することはほとんどなく、前記落下の衝撃で、本実施形態の眼鏡フレーム２や眼鏡用レンズ３が破損するのを未然に防ぐことができる。
【図面の簡単な説明】
【００２０】
【図１】本発明の実施形態に係る眼鏡フレームを備えた眼鏡の側面図である。
【図２】図１の眼鏡フレームのテンプルの側面図である。
【図３】図２のテンプルの部分拡大図である。
【図４】図１のＩＶ−ＩＶ線拡大断面図である。
【図５】折り曲げた状態の耳かけ部の拡大側面図である。
【図６】図５の耳かけ部の部分拡大断面図である。
【符号の説明】
【００２１】
１  眼鏡
２  眼鏡フレーム
３  眼鏡用レンズ
４  前枠
５  智（ヨロイ）
６  テンプル
７  芯金部
８  耳かけ部
９，１０  凹部
１１  モダン取付部
１２  モダン
１２ａ  外側被覆部
１２ｂ  内側被覆部
１３  スリット
１３ａ  突片
１４  滑り止め用段部
【図１】
2008096586.tif 000003
【図２】
2008096586.tif 000004
【図３】
2008096586.tif 000005
【図４】
2008096586.tif 000006
【図５】
2008096586.tif 000007
【図６】
2008096586.tif 000008